(57)【特許請求の範囲】
【請求項１】
スクリーンの一端に取り付けた可動框と、該スクリーンを張設したときに該可動框が当接する受け框又は他の可動框との間に、ラッチとそれが係合するラッチ受けとからなるラッチ機構を備え、該ラッチ機構を備える上記一対の框における一方の框材に上記ラッチを取り付け、他方の框材に上記ラッチ受けを取り付けた横引きスクリーン装置において、
上記ラッチを取り付ける一方の框材は、他方の框材におけるラッチ受けの取付面に対向する衝合面に穿設されたラッチ穴と、該一方の框材の表裏の一方側の側壁に穿設された第１の穴と、同他方側の側壁に穿設された第２の穴とを有し、
上記ラッチは、先端側に上記ラッチ受けに係止する鉤部を備えた操作板の基端側を上記框材のラッチ穴に上下動可能に挿入できるようにしたラッチ部材と、上記框材の表裏の一方側の側壁に沿って上下に摺動自在の摘み部を備えた第１の操作部材と、上記框材の他方の側壁に沿って上下動可能な摘み部を上記第１の操作部材と共に上下摺動可能にした第２の操作部材とによって構成され、
上記ラッチ部材は、上記鉤部を有する操作板の上記ラッチ穴に挿入する基端部に、上記第１の操作部材の係合板が挿通される挿通孔を備えたものとし、
上記第１の操作部材は、上記框材の上記一方側の側壁に沿って上下に摺動自在の摘み部に、上記第１の穴と第２の穴とに上下動可能に挿入される係合板を備え、該係合板は上記ラッチ部材の保持のために操作板に穿設された上記挿通孔にも挿通し、該係合板の先端部においては、上記第２の穴及びその外側に位置させる第２の操作部材の係止孔を通して突出する部位に、該係止孔の孔縁に弾性的に係止する弾性係止片が設けられ、
上記第２の操作部材は、上記框材の上記他方側の側壁に沿って上下に摺動可能な摘み部に、上記第１の操作部材の係合板の上記弾性係止片を弾性的に係止させる上記係止孔を備えたものとし、
上記第１又は第２の操作部材の上下動に伴う上記ラッチ部材の鉤部の上動により、該鉤部を他方の框材に設けた上記ラッチ受けの下部の係止壁から離脱可能に形成している、
ことを特徴とする横引きスクリーン装置。
【請求項２】
上記ラッチ部材の鉤部が、その先端から下方に傾く傾斜面を有し、上記ラッチ受けの係止壁に上記鉤部の傾斜面が当接する位置関係で上記ラッチ機構が配設され、ラッチ受けに対するラッチの係合動作時に、上記ラッチ部材の鉤部の傾斜面が上記係止壁で押し上げられ、該傾斜面が上記係止壁を超えたところで鉤部が該係止壁に係止されるものとした、
ことを特徴とする請求項１に記載の横引きスクリーン装置。
【請求項３】
上記ラッチ及び上記ラッチ受けからなるラッチ機構が上下に対称な形状をなし、スクリーン装置自体が該ラッチ機構を上下反転状態で使用可能に形成されている、
ことを特徴とする請求項２に記載の横引きスクリーン装置。
【請求項４】
上記第２の操作部材における摘み部が、その係止孔の孔縁に弾性的に係止する上記弾性係止片を該孔縁から離脱させるための操作用孔を、該弾性係止片を離脱操作可能なものとして上記摘み部の表面に開口させている、
ことを特徴とする請求項１〜３のいずれかに記載の横引きスクリーン装置。
【請求項５】
上記ラッチ受けが、上記ラッチ部材の鉤部が挿入される受け筺に、該鉤部が係止する係止壁を有し、該受け筺に、ラッチ受けを取り付ける框材に設けた装着孔にその内側から弾性的に係止する係止片を備えている、
ことを特徴とする請求項１に記載の横引きスクリーン装置。
【発明の詳細な説明】
【技術分野】
【０００１】
本発明は、可動框を受け框や他の可動框に留めるためのラッチ機構を備えた横引きスクリーン装置に関し、特に、上記ラッチ機構を可動框や受け框に組み付けるに際して取付け用工具を使用せずに取り付け可能にし、分別廃棄のための解体をも容易に行えるようにした横引きスクリーン装置に関する。
【背景技術】
【０００２】
従来の横引きスクリーン装置では、可動框を受け框に留める際に用いるラッチ機構を、取付用ネジを使用して該可動框や受け框に固定するのが一般的である。この取付用ネジを用いる場合、ラッチ機構の固定及び取り外しの際にネジ操作用の工具が必要となり、ラッチ機構の組み付け作業に時間が掛かるだけでなく作業が面倒であり、固定状態においてネジが目視されるため外観上の美観を損ねるという問題もあった。
【０００３】
これに対し、特許文献１には、家具や建具等のラッチ取付部にマグネットラッチを装着するに際し、マグネットラッチが収容されている筺体に弾性変形する爪部を設け、ラッチ取付部に設けた装着孔内にその爪部を係止させて固定する装着構造が開示されている。
上記特許文献１に開示の装着構造では、マグネットラッチが収容されている筺体を、単に押入するだけで、工具を用いることなく装着することができるが、ラッチの係脱のために外部操作する摘み部等の操作部材を備えないものであり、つまり、該装着構造は、単にマグネットラッチ等をラッチ取付部に装着する場合に適用できるものである。そのため、ラッチ受けに係止する鉤部を備えたラッチの係脱のために摘み部等の外部操作する操作部材を備える場合には、上記装着構造をラッチの装着構造として利用するのには困難性がある。
【先行技術文献】
【特許文献】
【０００４】
【特許文献１】特開２００６−２６５９４４号公報
【発明の概要】
【発明が解決しようとする課題】
【０００５】
本発明の技術的課題は、横引きスクリーン装置におけるラッチ機構であって、ラッチ受けに係止する鉤部を備えたラッチの係脱操作のために摘み部等の操作部材を備えたものにおいて、そのラッチ機構をスクリーン装置における可動框や受け框等の框材に対して、取付け用工具を使用せずに組み付けできるようにし、また、使用部品の分別廃棄のための解体をも容易にできるようにした構成を提供することにある。
本発明の他の技術的課題は、上記ラッチ機構を一つの構成要素としてユニット化してスクリーン装置に取り付けることなく、該ラッチ機構を構成するのに必要な部片を、工具を用いることなく直接的にスクリーン装置の框材に取り付ける構成とすることにより、上記ラッチ機構の組立を省略できると同時に、可動框や受け框に必要とする加工を少なくした横引きスクリーン装置を提供することにある。
【課題を解決するための手段】
【０００６】
上記課題を解決するために、本発明によれば、スクリーンの一端に取り付けた可動框と、該スクリーンを張設したときに該可動框が当接する受け框又は他の可動框との間に、ラッチとそれが係合するラッチ受けとからなるラッチ機構を備え、該ラッチ機構を備える上記一対の框における一方の框材に上記ラッチを取り付け、他方の框材に上記ラッチ受けを取り付けた横引きスクリーン装置において、上記ラッチを取り付ける一方の框材は、他方の框材におけるラッチ受けの取付面に対向する衝合面に穿設されたラッチ穴と、該一方の框材の表裏の一方側の側壁に穿設された第１の穴と、同他方側の側壁に穿設された第２の穴とを有し、上記ラッチは、先端側に上記ラッチ受けに係止する鉤部を備えた操作板の基端側を上記框材のラッチ穴に上下動可能に挿入できるようにしたラッチ部材と、上記框材の表裏の一方側の側壁に沿って上下に摺動自在の摘み部を備えた第１の操作部材と、上記框材の他方の側壁に沿って上下動可能な摘み部を上記第１の操作部材と共に上下摺動可能にした第２の操作部材とによって構成され、上記ラッチ部材は、上記鉤部を有する操作板の上記ラッチ穴に挿入する基端部に、上記第１の操作部材の係合板が挿通される挿通孔を備えたものとし、上記第１の操作部材は、上記框材の上記一方側の側壁に沿って上下に摺動自在の摘み部に、上記第１の穴と第２の穴とに上下動可能に挿入される係合板を備え、該係合板は上記ラッチ部材の保持のために操作板に穿設された上記挿通孔にも挿通し、該係合板の先端部においては、上記第２の穴及びその外側に位置させる第２の操作部材の係止孔を通して突出する部位に、該係止孔の孔縁に弾性的に係止する弾性係止片が設けられ、上記第２の操作部材は、上記框材の上記他方側の側壁に沿って上下に摺動可能な摘み部に、上記第１の操作部材の係合板の上記弾性係止片を弾性的に係止させる上記係止孔を備えたものとし、上記第１又は第２の操作部材の上下動に伴う上記ラッチ部材の鉤部の上動により、該鉤部を他方の框材に設けた上記ラッチ受けの下部の係止壁から離脱可能に形成していることを特徴とする横引きスクリーン装置が提供される。
【０００７】
本発明に係る横引きスクリーン装置の好ましい実施形態によれば、上記ラッチ部材の鉤部が、その先端から下方に傾く傾斜面を有し、上記ラッチ受けの係止壁に上記鉤部の傾斜面が当接する位置関係で上記ラッチ機構が配設され、ラッチ受けに対するラッチの係合動作時に、上記ラッチ部材の鉤部の傾斜面が上記係止壁で押し上げられ、該傾斜面が上記係止壁を超えたところで鉤部が該係止壁に係止されるものとして構成される。この場合に、上記ラッチ及び上記ラッチ受けからなるラッチ機構が上下に対称な形状をなし、スクリーン装置自体が該ラッチ機構を上下反転状態で使用可能に形成されたものとすることができる。
【０００８】
また、本発明に係る横引きスクリーン装置の他の好ましい実施形態によれば、上記第２の操作部材における摘み部が、その係止孔の孔縁に弾性的に係止する上記弾性係止片を該孔縁から離脱させるための操作用孔を、該弾性係止片を離脱操作可能なものとして上記摘み部の表面に開口させたものとして構成される。
更に、上記ラッチ受けが、上記ラッチ部材の鉤部が挿入される受け筺に、該鉤部が係止する係止壁を有し、該受け筺に、ラッチ受けを取り付ける框材に設けた装着孔にその内側から弾性的に係止する係止片を備えたものとして構成される。
【０００９】
上記構成を有する横引きスクリーン装置において、上記ラッチ機構におけるラッチを一方の框材に取り付けるに際しては、該框材のラッチ穴に、先端側に鉤部を備えたラッチ部材の操作板の基端側を挿入し、次いで、該框材の一方側の側壁に穿設した第１の穴から該框材の他方側の第２の穴に向けて、第１の操作部材を構成する摘み部の背面側の係合板を挿入するが、その際に、該係合板をラッチ部材における操作板の基端側に設けた挿通孔にも挿通し、該係合板の先端部は、上記第２の穴の外側に位置する第２の操作部材における摘み部に設けた係止孔を通して突出させ、その突出した部位に設けた弾性係止片を該係止孔の孔縁に弾性的に係止させる。それによって、上記框材にラッチ部材を上下に摺動自在に取り付けることができる。
上記框材からのラッチの離脱は、上記第２の操作部材の摘み部に設けた操作用孔を通して、上記弾性係止片を上記係止孔の孔縁から離脱させるだけで、第１の操作部材及び第２の操作部材を框材から取り外すことができ、それによってラッチ部材も框材のラッチ穴から取り外すことができる。
【発明の効果】
【００１０】
本発明に係る横引きスクリーン装置によれば、ラッチ機構をスクリーン装置における可動框や受け框等の框材に設置するに際し、取付け用工具を使用せずに組み付けることができ、また、使用部品の分別廃棄のための解体をも容易に行うことができる。
更に、上記ラッチ機構を一つの構成要素としてユニット化してスクリーン装置に取り付けることなく、該ラッチ機構の構成に必要な部片を、工具を用いることなく直接的にスクリーン装置の框材に取り付ける構成としたことにより、上記ラッチ機構を一つのユニットとして組み立てるのを省略できると同時に、可動框や受け框に必要とする加工を非常に少なくすることができる。
【図面の簡単な説明】
【００１１】
【図１】本発明のスクリーン装置におけるラッチとそれが取り付けられる可動框の要部分解斜視図である。
【図２】上記ラッチ及び可動框の分解拡大平面図である。
【図３】可動框におけるラッチの組み付け状態を示す拡大断面図である。
【図４】上記可動框におけるラッチの組み付け状態を示す要部拡大斜視図である。
【図５】上記可動框に対して組み付けたラッチを取り外す状態を示すスクリーン装置の一部透視要部斜視図である。
【図６】受け框にラッチ受けを取り付ける状態を示す要部斜視図である。
【図７】受け框にラッチ受けを取り付けた状態の拡大断面図である。
【発明を実施するための形態】
【００１２】
図１〜図７は、本発明に係る横引きスクリーン装置において用いるところのラッチ６及びラッチ受け７からなるラッチ機構、及びそれらの取付構造を説明するためのもので、図１〜図５は、その一例としてのラッチ６の構成、及び横引きスクリーン装置においてスクリーン５の一端に取り付けられる可動框１の框材２に該ラッチを取り付けるための構成を示し、図６及び図７は、上記ラッチが係合するラッチ受け７の構成、及び上記可動框１が衝当する受け框３の框材４に該ラッチ受け７を取り付けるための構成を示している。
なお、上記可動框１は、一定の断面形状を有する框材２の上下端に図示を省略したガイド部材を取り付けて上下横枠にガイドさせるものであり、同様に、上記受け框３は、断面形状が一定の框材４の上下端を図示しないコーナー部材で上下の横枠等に連結し、スクリーン枠を形成するものである。
【００１３】
ここでは、上記ラッチ機構を横引きスクリーン装置における可動框１と受け框３との間に設ける場合について説明するが、必要に応じて、上記ラッチを受け框３に設け、ラッチ受け７を可動框１に設けることもでき、また、該ラッチ機構を左右両開きのスクリーン装置における左右一対の可動框間に設けることもできる。
即ち、上記ラッチ機構は、それを備える横引きスクリーン装置の一対の框における一方の框材に上記ラッチを取り付け、他方の框材に上記ラッチ受けを取り付けたものとすることができる。
【００１４】
上記ラッチを取り付ける可動框１の框材２は、受け框３に対面する框本体１１と、その背後側に突設された一対の対向壁１２，１３を備え、該対向壁１２，１３の間にスクリーン取付溝１４を形成して、該スクリーン取付溝１４の口部をスクリーン５の巻取り軸（図示省略）側に開口させている。図５においては、本発明に係る横引きスクリーン装置の一部を示しているが、このスクリーン装置は、スクリーン５の一端部に該部を挟持するようにして取り付けた弾性的拡開傾向をもつ合成樹脂製の取付部材１５を、上記対向壁１２，１３の間に形成されたスクリーン取付溝１４の口部に弾性的に係合させ、該スクリーン５の他端を、スクリーン５の巻取りによる開方向にばねの付勢力が付与された図示しない巻取り軸に取り付け、上記可動框１を上下の横枠に沿って開閉方向に移動させることによりスクリーン５の開閉操作を可能にするものである。
なお、上記ラッチ機構を備える横引きスクリーン装置自体の全体的構成は、既に一般的に知られているものであるから、ここではその詳細な図示を省略している。
【００１５】
上記可動框１の框材２に上記ラッチ６を取り付けるため、該可動框１の框材２には、受け框３の框材４におけるラッチ受け７の取付面４ａに対向する框本体１１の衝合面１１ａにラッチ穴１６が穿設され、また、該框材２の一方側の側壁には第１の穴１７が、他方側の側壁には第２の穴１８が穿設されている。図示の実施例においては、上記第１及び第２の穴１７，１８を、スクリーン取付溝１４を形成する対向壁１２，１３に設けているが、それらの穴１７，１８は、それぞれ、框本体１１における同じ側の側壁に設けることもできる。従って、上記框材２の一方側の側壁とは、框本体１１及び対向壁１２を含めた該対向壁１２側（図２及び図３の上側）の側壁を意味し、同他方側の側壁とは、框本体１１及び対向壁１３を含めた該対向壁１３側（図２及び図３の下側）の側壁を意味している。更に、框材２における上記スクリーン取付溝１４の底壁で上記ラッチ穴１６に対向する位置に、上記ラッチ穴１６と同形のガイド穴１９が穿設されている。
【００１６】
上記ラッチ６は、図１〜図５から分かるように、先端側にラッチ受け７に係止する鉤部２１を備えた操作板２２の基端側を上記框材２のラッチ穴１６及びガイド穴１９に上下動可能に挿入するようにしたラッチ部材２０と、上記框材２の一方側の側壁を形成する上記対向壁１２に沿って上下に摺動自在の摘み部３１を備えた第１の操作部材３０と、上記框材２の他方の側壁を形成する上記対向壁１３に沿って上下動可能な摘み部４１を、上記第１の操作部材３０と共に上下摺動可能にした第２の操作部材４０とによって構成されている。
【００１７】
更に具体的に説明すると、上記ラッチ部材２０は、先端側に上記ラッチ受け７に係止する鉤部２１が設けられ、該鉤部２１には、ガイド板２４を介して操作板２２が一体に連設されている。上記鉤部２１を含むラッチ部材２０は、その先端から上方及び下方に互いに対称に傾斜する傾斜面２１ａを有していて、上下に上記ラッチ受け７に係止する鉤部分が形成され、上記操作板２２及びガイド板２４も上下に対称な形状をなすものとしている。これは、スクリーン装置自体を上下反転させ、該ラッチ機構を上下反転状態で使用可能に形成する場合にも対応させるようにしているためである。しかしながら、スクリーン装置自体を上下反転状態で使用することを前提としない場合には、上下対称形状にする必要はなく、上記ラッチ部材２０に下方の鉤部分のみを設ければよい。
【００１８】
また、上記操作板２２の基端部には、上記第１の操作部材３０の摘み部３１に設けた係合板３２が挿通される挿通孔２３を備えている。上記鉤部２１と操作板２２との間に設けた平板状のガイド板２４は、ラッチ穴１６が穿設された框本体１１の衝合面１１ａに当接して摺動し、該衝合面１１ａに沿ってラッチ部材２０を安定的に上下方向に摺動可能にするものである。
【００１９】
上記ラッチ部材２０の操作板２２は、上記ガイド板２４が框本体１１の衝合面１１ａに当接するところまでラッチ穴１６に挿入され、しかも、該操作板２２の基端部を上記框材２のスクリーン取付溝１４の底壁のガイド穴１９に挿入することによって、該操作板２２の挿通孔２３を設けた基端部が上記可動框１のスクリーン取付溝１４内まで挿入されている。上記框材２のラッチ穴１６及びガイド穴１９は、操作板２２の先端の鉤部２１がラッチ受け７に係脱できる範囲内で上下動できるような上下方向長さを有するものとする必要がある。そして、基端部に挿通孔２３を設けた上記操作板２２は、上記係合板３２の嵌入により操作板２２を係合板３２の上下動に追随して昇降するように形成している。
【００２０】
一方、上記第１の操作部材３０は、上記框材２の一方側の側壁の外面に沿って上下に摺動自在の摘み部３１を備え、該摘み部３１を框材２に保持させるため、該框材２における第１の穴１７と第２の穴１８とに上下動可能に挿入される係合板３２を一体に連設している。上記第１の穴１７及び第２の穴１８の上下方向の長さは、係合板３２の上下方向長さよりも少なくとも鉤部２１の昇降長さだけ大であり、その長さによって、ラッチの係脱に必要な該係合板３２の上下動の範囲が設定される。また、該係合板３２は、框材２における第１の穴１７に挿入した後、上記ラッチ部材２０の操作板２２に穿設された挿通孔２３に挿通され、そのうえで框材２における第２の穴１８に挿入され、該係合板３２の先端部は、上記第２の穴１８を通して框材２の外側に突出させ、上記框材２における他方側の側壁の外面に沿って上下に摺動可能とした第２の操作部材４０の係止孔４２を通して、該第２の操作部材４０の表面側に突出させている。
【００２１】
上記第２の操作部材４０は、上記框材２における第１の操作部材３０の配設側とは反対側の側壁に沿って摺動する上記摘み部４１を備え、上記係止孔４２を該摘み部４１に設けている。そして、上記第１の操作部材３０の係合板３２の先端部には、上記第２の穴１８及びその外側の第２の操作部材４０の係止孔４２を通して表面側に突出する部位に、該係止孔４２の孔縁に弾性的に係止する弾性係止片３３が設けられている。従って、上記係合板３２の先端部を第２の操作部材４０における上記摘み部４１の係止孔４２を通して突出させるに際しては、該弾性係止片３３が係合板３２内に没入して該第２の操作部材４０の係止孔４２を通過し、該係止孔４２の通過後には係合板３２から突出する状態に復帰して係止孔４２の孔縁に弾性的に係止することになる。それにより、上記第２の操作部材４０を構成する上記摘み部４１が、上記框材２の側壁に沿って摺動するように上記第１の操作部材３０に保持されることになる。
【００２２】
また、上記第２の操作部材４０における摘み部４１は、図３および図５に明瞭に示すように、該摘み部４１の係止孔４２の孔縁に弾性的に係止する上記弾性係止片３３を該孔縁から離脱させるための操作用孔４２ａを、該係止孔４２に連通するものとして上記摘み部４１の表面に開口させている。従って、上記摘み部４１に設けた操作用孔４２ａを通して、マイナスドライバーその他の操作棒７０により上記係合板３２の弾性係止片３３を該係合板３２の面内に没入させ、該弾性係止片３３を上記係止孔４２の孔縁から離脱させるだけで、第１の操作部材３０及び第２の操作部材４０を框材２から取り外すことができ、それによってラッチ部材２０も框材２のラッチ穴１６から取り外すことができる。
【００２３】
上記構成を有する横引きスクリーン装置において、上記ラッチ機構におけるラッチを一方の框材に取り付けるに際しては、該框材のラッチ穴１６及びガイド穴１９に、先端側に鉤部２１を備えたラッチ部材２０の操作板２２の基端側を挿入し、次いで、該框材の一方側の側壁に穿設した第１の穴１７から該框材の他方側の第２の穴１８に向けて、第１の操作部材３０における摘み部３１の背面側の係合板３２を挿入するが、その際に、該係合板３２をラッチ部材２０における操作板２２の基端側に設けた挿通孔２３にも挿通し、該係合板３２の先端部は、上記第２の穴１８の外側に位置する第２の操作部材４０における摘み部４１に設けた係止孔４２を通して突出させ、その突出した部位に設けた弾性係止片３３を該係止孔４２の孔縁に弾性的に係止させる。それによって、上記框材にラッチ部材２０を上下に摺動自在に取り付けることができる。
【００２４】
一方、図６及び図７に示すように、上記受け框３を構成する框材４において、前記可動框１の衝合面１１ａに対向する取付面４ａには、上記ラッチ６に対応させてラッチ受け７を取り付ける装着孔６２を設けている。該ラッチ受け７は、上記ラッチ部材２０の鉤部２１が挿入される受け筺５１を上記装着孔６２に挿入して框材４に取り付けられるもので、該受け筺５１の口部上下端に上記ラッチ部材２０の鉤部２１が係止する係止壁５３を上下対称に付設している。これは、前述したように、ラッチ機構を上下反転状態で使用可能に形成する場合に対応させるようにしたもので、スクリーン装置自体を上下反転状態で使用しない場合には、該係止壁５３を受け筺５１の口部下端のみに設ければよい。
【００２５】
上記受け筺５１の框材４に対する取り付けは、該受け筺５１の上下の面に、該框材４の装着孔６２の内側に弾性的に突出して係止する係止片５２を設け、それにより、上記装着孔６２に対して該受け筺５１を押入するだけで該係止片５２を該装着孔６２の内側に係止できるようにしたものである。また、上記受け框３の框材４から該ラッチ受け７を取り外すため、上記受け筺５１における係止片５２の外側部位に操作孔５４を穿設し、該操作孔５４から先端が尖った操作棒を挿入することにより、框材４の装着孔６２の周辺裏側に弾性的に突出して係止している係止片５２を没入させて、装着孔６２の裏側に対する係止を離脱させ、それによって、上記受け筺５１を装着孔６２から取り出すことができるようにしている。
【００２６】
上記ラッチ部材２０に対するラッチ受け７の位置関係は、スクリーンの張設に際して、ラッチ部材２０の鉤部２１の先端から下方に傾く傾斜面２１ａが、上記框材４のラッチ受け７の係止壁５３の上端に当接するようにして配設され、ラッチ受け７に対するラッチ６の係合時には、上記ラッチ部材２０の鉤部２１の傾斜面２１ａが上記係止壁５３で押し上げられ、該傾斜面２１ａが上記係止壁５３を超えたところで鉤部２１が該係止壁５３に係止されるものとしている。
上記ラッチ受け７に係止しているラッチ部材２０を離脱させる際には、ラッチ６における第１または第２の操作部材３０，４０の摘み部３１，４１の上動に伴う上記ラッチ部材２０の鉤部２１の上動により、該鉤部２１を上記ラッチ受け７の下部の係止壁５３から離脱させればよい。
【符号の説明】
【００２７】
１                可動框
２                框材
３                受け框
４                框材
５                スクリーン
６                ラッチ
７                ラッチ受け
１１ａ              衝合面
１２，１３          対向壁
１６                ラッチ穴
２０                ラッチ部材
２１                鉤部
２２                操作板
２３                挿通孔
３０                第１の操作部材
３１，４１          摘み部
３２                係合板
３３                弾性係止片
４０                第２の操作部材
４２                係止孔
【図１】
0005977545.tif 000002
【図２】
0005977545.tif 000003
【図３】
0005977545.tif 000004
【図４】
0005977545.tif 000005
【図５】
0005977545.tif 000006
【図６】
0005977545.tif 000007
【図７】
0005977545.tif 000008